(57)【要約】【課題】軽量で、かつ、風圧による損傷を防止した、電子ディスプレイを用いてなる広告媒体を提供する。【解決手段】本発明の広告媒体１０は、基材シート１１と、その一方の面１１ａに配設され、印加する電圧の電位差で着色および消色を切替える表示素子１２，１３と、表示素子１２，１３に接続されて、表示素子１２，１３に電圧を印加するための配線１４，１５と、基材シート１１を係留するためのポール１９と、を備え、基材シート１１における表示素子１２，１３および配線１４，１５が設けられている領域とは別の領域に、基材シート１１を厚み方向に貫通する貫通穴１６，１７，１８が設けられたことを特徴とする。【選択図】図１
2011075584.tif 000002
【特許請求の範囲】
【請求項１】
基材シートと、該基材シートの少なくとも一方の面に配設され、印加する電圧の電位差で着色および消色を切替える表示素子と、前記基材シートの一方の面側または他方の面側に設けられ、前記表示素子に接続されて、前記表示素子に電圧を印加するための配線と、前記基材シートの少なくとも一端を係留するための係留器具と、を備えた広告媒体であって、
前記基材シートにおける前記表示素子および前記配線が設けられている領域とは別の領域に、前記基材シートを厚み方向に貫通する貫通穴が設けられたことを特徴とする広告媒体。
【発明の詳細な説明】
【技術分野】
【０００１】
本発明は、印加する電圧の電位差で着色および消色を切替えることが可能な表示素子を用いた広告媒体に関する。
【背景技術】
【０００２】
近年、表示内容を変更（書き換え）可能な看板などの広告媒体として、電子ディスプレイを用いたものが利用されるようになっている。
電子ディスプレイとしては、液晶表示素子（ＬＣＤ）、有機エレクトロルミネッセンス素子（有機ＥＬ素子）、エレクトロクロミック素子（ＥＣ素子）、電子ペーパーなどのプラスチック基材から構成されたものが用いられている。
【０００３】
このような電子ディスプレイを用いた広告媒体の宣伝効果をより高めるために、電子ディスプレイをバルーン（風船）に係留して用いたアドバルーンが開示されている（例えば、特許文献１、２参照）。
このように、電子ディスプレイを備えたアドバルーンにより、多くの人に情報を伝えることが可能となる。
【先行技術文献】
【特許文献】
【０００４】
【特許文献１】特開２０００−１０５５６２号公報
【特許文献２】特開２００９−１２８５７６号公報
【発明の概要】
【発明が解決しようとする課題】
【０００５】
しかしながら、より広告効果を高めるために、電子ディスプレイを大型化すると、大型の電子ディスプレイは重量が重いため、設置が容易でなかった。また、大型の電子ディスプレイをバルーンに係留して浮遊させるためには、電子ディスプレイの重量に応じた大型のバルーンが必要になるという問題があった。このようにバルーンが大型化すると、アドバルーンの設置場所に制約を受けることがあるばかりでなく、コストが高くなる。
また、大型の電子ディスプレイは、風を受けやすく、強風を受けると、その風圧により損傷して、所定の表示ができなくなるという問題があった。
【０００６】
本発明は、上記事情に鑑みてなされたものであって、軽量で、かつ、風圧による損傷を防止した、電子ディスプレイを用いてなる広告媒体を提供することを目的とする。
【課題を解決するための手段】
【０００７】
本発明の広告媒体は、基材シートと、該基材シートの少なくとも一方の面に配設され、印加する電圧の電位差で着色および消色を切替える表示素子と、前記基材シートの一方の面側または他方の面側に設けられ、前記表示素子に接続されて、前記表示素子に電圧を印加するための配線と、前記基材シートの少なくとも一端を係留するための係留器具と、を備えた広告媒体であって、前記基材シートにおける前記表示素子および前記配線が設けられている領域とは別の領域に、前記基材シートを厚み方向に貫通する貫通穴が設けられたことを特徴とする。
【発明の効果】
【０００８】
本発明の広告媒体によれば、基材シートにおける表示素子および配線が設けられている領域とは別の領域に、基材シートを厚み方向に貫通する貫通穴が設けられているので、表示素子および配線が設けられた基材シートを軽量化することができる。ゆえに、広告媒体を容易に設置することができる上に、広告媒体の設置に要するコストを低減することができる。
また、貫通穴によって、基材シートは通気性に優れるので、基材シートが強風を受けても、その風圧により基材シートが損傷することを防止できる。すなわち、基材シートが強風を受けても、その風が貫通穴を通り抜けるので、基材シートが受ける風圧が緩和されるため、基材シートが損傷することを防止できる。ゆえに、基材シート上に設けられた表示素子および配線が損傷して、表示素子による表示ができなくなることを防止できる。
【図面の簡単な説明】
【０００９】
【図１】本発明の広告媒体の第一の実施形態を示す概略平面図である。
【図２】本発明の広告媒体の第一の実施形態を示し、図１に示す広告媒体の概略側面図である。
【図３】本発明の広告媒体の第二の実施形態を示す概略平面図である。
【図４】本発明の広告媒体の第三の実施形態を示す概略平面図である。
【図５】本発明の広告媒体の第四の実施形態を示す概略平面図である。
【図６】本発明の広告媒体の第五の実施形態の概略構成を示す模式図である。
【発明を実施するための形態】
【００１０】
本発明の広告媒体の実施の形態について説明する。
なお、この形態は、発明の趣旨をより良く理解させるために具体的に説明するものであり、特に指定のない限り、本発明を限定するものではない。
【００１１】
（１）第一の実施形態
図１は、本発明の広告媒体の第一の実施形態を示す概略平面図である。図２は、本発明の広告媒体の第一の実施形態を示し、図１に示す広告媒体を紙面の左側から見た概略側面図である。
この実施形態の広告媒体１０は、平面視長方形状の基材シート１１と、基材シート１１の一方の面１１ａに、間隔を置いて配設された２つの表示素子１２，１３と、基材シート１１の他方の面１１ｂに設けられ、表示素子１２に接続された配線１４および表示素子１３に接続された配線１５と、基材シート１１を厚み方向に貫通する貫通穴１６，１７，１８と、基材シート１１を係留するためのポール１９とから概略構成されている。
【００１２】
また、配線１４，１５の端子には、コントローラー（図示略）や電源（図示略）などの制御系（図示略）が接続され、この制御系により、表示素子１２，１３の表示の切り替えなどが制御される。なお、配線１４，１５に接続される制御系は有線方式のものに限定されず、無線方式のものであってもよい。無線方式の制御系を設ければ、広告媒体１０から離れた位置から、表示素子１２，１３の表示を切り替えることができる。
【００１３】
この実施形態の広告媒体１０は、「のぼり旗」型のものであり、この「のぼり旗」は、基材シート１１と、表示素子１２，１３と、配線１４，１５と、貫通穴１６，１７，１８とから概略構成されている。
また、この広告媒体１０では、ポール１９が、基材シート１１を係留するための係留器具である。
【００１４】
基材シート１１は、その横方向の外縁の一方、および、これに連続する縦方向の外縁の一方に間隔をおいて設けられたスリーブ１１ｃを介して、平面視Ｌ字状のポール１９に係留されている。すなわち、基材シート１１に設けられたスリーブ１１ｃに、ポール１９を挿通することにより、基材シート１１は、その横方向の外縁の一方、および、これに連続する縦方向の外縁の一方が、ポール１９に沿って、係留されている。
【００１５】
表示素子１２，１３は、印加する電圧の電位差で着色および消色を切替える複数の表示素子（図示略）と、この複数の表示素子のそれぞれに電圧を印加する複数の表示電極（図示略）と、複数の表示素子に共通の対向電極（図示略）とから概略構成されている。
表示素子１２は、図１に示すように、７つのセグメント１２Ａ、１２Ｂ、・・・、１２Ｇから構成され、全体として数字の「８」の形状をなしている。同様に、表示素子１３は、図１に示すように、７つのセグメント１３Ａ、１３Ｂ、・・・、１３Ｇから構成され、全体として数字の「８」の形状をなしている。
【００１６】
このような表示素子１２，１３としては、シート状のプラスチック基材を用いてなるものが挙げられ、例えば、電気泳動ディスプレイ（電子ペーパー）、液晶表示素子（ＬＣＤ）、有機エレクトロルミネッセンス素子（有機ＥＬ素子）、エレクトロクロミック素子（ＥＣ素子）、電子粉流体表示素子などが挙げられる。
【００１７】
貫通穴１６，１７，１８は、基材シート１１における表示素子１２，１３および配線１４，１５が設けられている領域とは別の領域、すなわち、基材シート１１における表示素子１２，１３および配線１４，１５が設けられていない領域に設けられている。
【００１８】
すなわち、平面視長方形状の貫通穴１６Ａ，１６Ｂが表示素子１２と配線１４の間に設けられ、平面視長方形状の貫通穴１７Ａ，１７Ｂが表示素子１３と配線１５の間に設けられている。
また、平面視長方形状の貫通穴１６Ｃ，１６Ｄが表示素子１２を構成するセグメント１２Ａ、１２Ｂ、・・・、１２Ｇの間に設けられ、平面視長方形状の貫通穴１７Ｃ，１７Ｄが表示素子１３を構成するセグメント１３Ａ、１３Ｂ、・・・、１３Ｇの間に設けられている。
さらに、平面視Ｆ字状の貫通穴１８が、表示素子１２，１３および配線１４，１５が設けられている領域と隣接する領域に設けられ、基材シート１１の縦方向および横方向において、表示素子１２，１３および配線１４，１５が設けられている領域以外の領域の全域にわたって延在している。
【００１９】
また、図２に示すように、基材シート１１の他方の面１１ｂ側には、基材シート１１に重なるように通気性のシート（以下、「通気性シート」と言う。）２０が設けられていることが好ましい。これにより、基材シート１１の一方の面１１ａ側から見て、貫通穴１６，１７，１８の開口部（貫通穴１６，１７，１８の開口端部１６ａ，１７ａ，１８ａよりも内側の部分）の全域に重なるように、通気性シート２０が配設される。
【００２０】
通気性シート２０としては、特に限定されないが、綿、絹、麻などの天然繊維、あるいは、合成繊維を縦糸および横糸として、メッシュ状（網目状）に編んでなるメッシュシートなどが用いられる。
通気性シート２０がメッシュシートである場合、その線径や目開き量（網目の間隔）は特に限定されず、通気性を損なわない範囲で適宜調整される。
【００２１】
このように、貫通穴１６，１７，１８の開口部の全域に重なるように、通気性シート２０が配設されていれば、基材シート１１の通気性を確保しながらも、貫通穴１６，１７，１８において、基材シート１１の機械的強度が低下するのを補うことができる。従って、基材シート１１が、貫通穴１６，１７，１８にて破損（破断）するのを防止することができる。
【００２２】
また、通気性シート２０は、表示素子１２，１３による表示の色調、すなわち、表示素子１２，１３によって表示される情報の色調とは、異なる色調をなしていることが好ましく、特に、表示素子１２，１３による表示の色調がより強調される色調が好ましい。
例えば、表示素子１２，１３による表示の色調が黒色である場合、通気性シート２０の色調は白色であることが好ましく、また、表示素子１２，１３による表示の色調が白色である場合、通気性シート２０の色調は黒色であることが好ましい。
【００２３】
このように、通気性シート２０の色調が、表示素子１２，１３による表示の色調とは異なっていれば、表示素子１２，１３によって表示される情報が強調され、遠方からもその情報を十分に認識することができるようになる。
【００２４】
基材シート１１としては、特に限定されるものではないが、例えば、ポリエチレンテレフタレート（ＰＥＴ）、ポリエチレン（ＰＥ）、ポリプロピレン（ＰＰ）などの樹脂からなるシート状またはフィルム状のもの、各種紙基材などが用いられる。
【００２５】
この広告媒体１０によれば、基材シート１１における表示素子１２，１３および配線１４，１５が設けられている領域とは別の領域に、基材シート１１を厚み方向に貫通する貫通穴１６，１７，１８が設けられているので、上記の「のぼり旗」の部分を軽量化することができる。ゆえに、広告媒体１０を容易に設置することができる上に、広告媒体１０の設置に要するコストを低減することができる。
【００２６】
また、貫通穴１６，１７，１８によって、基材シート１１は通気性に優れるので、基材シート１１が強風を受けても、その風圧により基材シート１１が損傷することを防止できる。すなわち、基材シート１１が強風を受けても、その風が貫通穴１６，１７，１８を通り抜けるので、基材シート１１が受ける風圧が緩和されるため、基材シート１１が損傷することを防止できる。ゆえに、基材シート１１上に設けられた表示素子１２，１３および配線１４，１５が損傷して、表示素子１２，１３による表示ができなくなることを防止できる。
【００２７】
なお、この実施形態では、基材シート１１の形状が平面視長方形状である場合を例示したが、本発明の広告媒体はこれに限定されない。本発明の広告媒体にあっては、基材シートの形状は、それによって広告すべき情報の内容などに応じて適宜調整される。
【００２８】
また、この実施形態では、基材シート１１の一方の面１１ａに、７つのセグメント１２Ａ、１２Ｂ、・・・、１２Ｇから構成され、数字の「８」の形状をなす表示素子１２と、７つのセグメント１３Ａ、１３Ｂ、・・・、１３Ｇから構成され、数字の「８」の形状をなす表示素子１３とが間隔を置いて配設された場合を例示したが、本発明の広告媒体はこれに限定されない。本発明の広告媒体にあっては、基材シートの一方の面または他方の面に、任意の形状（表示パターン）の表示素子が１つまたは３つ以上設けられていてもよい。
【００２９】
また、この実施形態では、貫通穴１６，１６Ｂ，１６Ｃ，１６Ｄ，１７Ａ，１７Ｂ，１７Ｃ，１７Ｄの形状が平面視長方形状であり、かつ、貫通穴１８の形状が平面視Ｆ字状である場合を例示しが、本発明の広告媒体はこれに限定されない。本発明の広告媒体にあっては、貫通穴が、基材シートにおける表示素子および配線が設けられている領域とは別の領域に設けられていれば、その形状は如何なる形状であってもよい。
【００３０】
また、この実施形態では、基材シート１１が、その横方向の外縁の一方、および、これに連続する縦方向の外縁の一方に間隔をおいて設けられたスリーブ１１ｃを介して、平面視Ｌ字状のポール１９に係留された場合を例示したが、本発明の広告媒体はこれに限定されない。本発明の広告媒体にあっては、表示素子、配線および貫通穴が設けられた基材シートが、その一方の長辺の両端に設けられた紐を介して、直線状のポールに係留された形態であってもよい。
【００３１】
（２）第二の実施形態
図３は、本発明の広告媒体の第二の実施形態を示す概略平面図である。
この実施形態の広告媒体３０は、平面視長方形状の基材シート３１と、基材シート３１の一方の面３１ａに、間隔を置いて配設された２つの表示素子３２，３３と、基材シート３１の他方の面に設けられ、表示素子３２，３３に接続された配線（図示略）と、基材シート３１を厚み方向に貫通する貫通穴３４，３５，３６と、基材シート３１を係留する（吊り下げる）ための球状のバルーン３７とから概略構成されている。
【００３２】
また、配線の端子には、コントローラー（図示略）や電源（図示略）などの制御系（図示略）が接続され、この制御系により、表示素子３２，３３の表示の切り替えなどが制御される。なお、配線に接続される制御系は有線方式のものに限定されず、無線方式のものであってもよい。無線方式の制御系を設ければ、広告媒体３０から離れた位置から、表示素子３２，３３の表示を切り替えることができる。
【００３３】
この実施形態の広告媒体３０は、「アドバルーン」型のものであり、この「アドバルーン」は、基材シート３１と、表示素子３２，３３と、配線と、貫通穴３４，３５，３６とを有する「旗」と、これを係留する（吊り下げる）ためのバルーン３７とから概略構成されている。
また、この広告媒体３０では、バルーン３７が、基材シート３１を係留するための係留器具である。
【００３４】
基材シート３１は、その長さ方向の一端（紙面上側の端）に設けられた紐３１ｂを介して、球状のバルーン３７に係留されている。
表示素子３２，３３としては、第一の実施形態と同様のものが用いられる。
【００３５】
貫通穴３４，３５，３６は、基材シート３１における表示素子３２，３３および配線が設けられている領域とは別の領域、すなわち、基材シート３１における表示素子３２，３３および配線が設けられていない領域に設けられている。
【００３６】
すなわち、平面視長方形状の貫通穴３４が、基材シート３１の長さ方向の一端部（紙面上側の端部）に設けられ、平面視長方形状の貫通穴３６が、基材シート３１の長さ方向の他端部（紙面下側の端部）に設けられている。
また、平面視長方形状の貫通穴３５が、表示素子３２，３３の間に設けられている。
【００３７】
また、この実施形態にあっても、第一の実施形態と同様に、基材シート３１の他方の面側に、基材シート３１に重なるように通気性シートが設けられていてもよい。これにより、基材シート３１の一方の面３１ａ側から見て、貫通穴３４，３５，３６の開口部（貫通穴３４，３５，３６の開口端部３４ａ，３５ａ，３６ａよりも内側の部分）の全域に重なるように、通気性シートが配設される。
通気性シートとしては、第一の実施形態と同様のものが用いられる。
【００３８】
基材シート３１としては、第一の実施形態と同様のものが用いられる。
【００３９】
バルーン３７としては、ヘリウムガスを満たしたゴム製または化学繊維の布製のものが用いられ、かつ、上記の「旗」の部分を係留して、浮遊するために十分なヘリウムガス量を充填可能な大きさのものが用いられる。
【００４０】
この広告媒体３０によれば、基材シート３１における表示素子３２，３３および配線が設けられている領域とは別の領域に、基材シート３１を厚み方向に貫通する貫通穴３４，３５，３６が設けられているので、上記の「旗」の部分を軽量化することができる。ゆえに、「旗」の部分を係留して浮遊させるためのバルーン３７としては、大型のものを用いる必要がなくなり、広告媒体３０の設置場所に制約を受けることがなくなるとともに、広告媒体３０の設置に要するコストを低減することができる。
【００４１】
また、貫通穴３４，３５，３６によって、基材シート３１は通気性に優れるので、基材シート３１が強風を受けても、その風圧により基材シート３１が損傷することを防止できる。すなわち、基材シート３１が強風を受けても、その風が貫通穴３４，３５，３６を通り抜けるので、基材シート３１が受ける風圧が緩和されるため、基材シート３１が損傷することを防止できる。ゆえに、基材シート３１上に設けられた表示素子３２，３３および配線が損傷して、表示素子３２，３３による表示ができなくなることを防止できる。
【００４２】
なお、この実施形態では、基材シート３１の形状が平面視長方形状である場合を例示したが、本発明の広告媒体はこれに限定されない。本発明の広告媒体にあっては、基材シートの形状は、それによって広告すべき情報の内容などに応じて適宜調整される。
【００４３】
また、この実施形態では、基材シート３１の一方の面３１ａに、２つの表示素子３２，３３が間隔を置いて配設された場合を例示したが、本発明の広告媒体はこれに限定されない。本発明の広告媒体にあっては、基材シートの一方の面または他方の面に、任意の形状（表示パターン）の表示素子が１つまたは３つ以上設けられていてもよい。
【００４４】
また、この実施形態では、貫通穴３４，３５，３６の形状が平面視長方形状である場合を例示しが、本発明の広告媒体はこれに限定されない。本発明の広告媒体にあっては、貫通穴が、基材シートにおける表示素子および配線が設けられている領域とは別の領域に設けられていれば、その形状は如何なる形状であってもよい。
【００４５】
（３）第三の実施形態
図４は、本発明の広告媒体の第三の実施形態を示す概略平面図である。
図４において、図３に示した第二の実施形態の構成要素と同じ構成要素には同一符号を付して、その説明を省略する。
この実施形態の広告媒体４０は、平面視長方形状の基材シート３１と、基材シート３１の一方の面３１ａに、間隔を置いて配設された２つの表示素子３２，３３と、基材シート３１の他方の面に設けられ、表示素子３２，３３に接続された配線（図示略）と、基材シート３１を厚み方向に貫通する貫通穴３４，３５，３６と、基材シート３１を係留する（吊り下げる）ためのフックなどからなる係留治具４１と、基材シート３１に吊り下げられる球状の錘４２とから概略構成されている。
【００４６】
また、配線の端子には、コントローラー（図示略）や電源（図示略）などの制御系（図示略）が接続され、この制御系により、表示素子３２，３３の表示の切り替えなどが制御される。なお、配線に接続される制御系は有線方式のものに限定されず、無線方式のものであってもよい。無線方式の制御系を設ければ、広告媒体４０から離れた位置から、表示素子３２，３３の表示を切り替えることができる。
【００４７】
この実施形態の広告媒体４０は、「吊り下げ」型のものであり、この「吊り下げ」型のものは、基材シート３１と、表示素子３２，３３と、配線と、貫通穴３４，３５，３６とを有する「旗」と、これを係留する（吊り下げる）ための係留治具４１と、基材シート３１に吊り下げられる錘４２とから概略構成されている。
また、この広告媒体４０では、係留治具４１が、基材シート３１を係留するための係留器具である。
【００４８】
基材シート３１は、その長さ方向の一端（紙面上側の端）に設けられた紐３１ｂを介して、係留治具４１に係留されている。
また、基材シート３１には、その長さ方向の他端（紙面下側の端）に設けられた紐３１ｃを介して、錘４２が吊り下げられている。
【００４９】
錘４２としては、特に限定されず、鉄などの金属製、石材製、樹脂製などのものが用いられ、かつ、基材シート３１が強風を受けても、基材シート３１が係留治具４１に安定に垂下した状態を保つために十分な重さのものが用いられる。
【００５０】
この広告媒体４０によれば、基材シート３１における表示素子３２，３３および配線が設けられている領域とは別の領域に、基材シート３１を厚み方向に貫通する貫通穴３４，３５，３６が設けられているので、上記の「旗」の部分を軽量化することができる。ゆえに、「旗」の部分を係留する係留治具４１としては、大掛かりなものを用いる必要がなくなる。また、係留治具４１に基材シート３１を安定に垂下させるために、大型の錘４２を用いる必要がなくなり、広告媒体４０の設置場所に制約を受けることがなくなる。したがって、広告媒体４０の設置に要するコストを低減することができる。
【００５１】
（４）第四の実施形態
図５は、本発明の広告媒体の第四の実施形態を示す概略平面図である。
この実施形態の広告媒体５０は、平面視長方形状の基材シート５１、基材シート５１の一方の面５１ａに配設された表示素子５２、基材シート５１の他方の面に設けられ、表示素子５２に接続された配線（図示略）、および、基材シート５１を厚み方向に貫通する貫通穴５３，５４を有する、４つの表示シート５５（５５Ａ，５５Ｂ，５５Ｃ，５５Ｄ）と、これら４つの表示シート５５の一端（紙面上側の端）に付設されたスリーブ５６と、スリーブ５６によって連設された４つの表示シート５５を係留するための竿５７とから概略構成されている。
【００５２】
また、配線の端子には、コントローラー（図示略）や電源（図示略）などの制御系（図示略）が接続され、この制御系により、表示素子５２の表示の切り替えなどが制御される。なお、配線に接続される制御系は有線方式のものに限定されず、無線方式のものであってもよい。無線方式の制御系を設ければ、広告媒体５０から離れた位置から、表示素子５２の表示を切り替えることができる。
【００５３】
この実施形態の広告媒体５０は、「暖簾」型のものであり、この「暖簾」は、４つの表示シート５５（５５Ａ，５５Ｂ，５５Ｃ，５５Ｄ）と、これら４つの表示シート５５の一端（紙面上側の端）に付設されたスリーブ５６とから概略構成されている。
また、この広告媒体５０では、竿５７が、基材シート５１を構成要素として含む表示シート５５を係留するための係留器具である。
【００５４】
４つの表示シート５５（５５Ａ，５５Ｂ，５５Ｃ，５５Ｄ）の一端（紙面上側の端）には、スリーブ５６が付設されており、これにより、スリーブ５６の長手方向に沿って、表示シート５５Ａ，５５Ｂ，５５Ｃ，５５Ｄが所定の間隔を置いて、連設されている。
そして、スリーブ５６に、竿５７を挿通することにより、表示シート５５Ａ，５５Ｂ，５５Ｃ，５５Ｄが竿５７の長手方向に沿って、係留されている。
【００５５】
表示素子５２としては、第一の実施形態と同様のものが用いられる。
【００５６】
貫通穴５３，５４は、基材シート５１における表示素子５２および配線が設けられている領域とは別の領域、すなわち、基材シート５１における表示素子５２および配線が設けられていない領域に設けられている。
【００５７】
すなわち、平面視長方形状の貫通穴５３が、基材シート５１の長さ方向の一端部（紙面上側の端部）に設けられ、平面視長方形状の貫通穴５４が、基材シート５１の長さ方向の他端部（紙面下側の端部）に設けられ、貫通穴５３，５４が、表示素子５２を挟んで、基材シート５１の一方の面５１ａに配設されている。
【００５８】
また、この実施形態にあっても、第一の実施形態と同様に、基材シート５１の他方の面側に、基材シート５１に重なるように通気性シートが設けられていてもよい。これにより、基材シート５１の一方の面５１ａ側から見て、貫通穴５３，５４の開口部（貫通穴５３，５４の開口端部５３ａ，５４ａよりも内側の部分）の全域に重なるように、通気性シートが配設される。
通気性シートとしては、第一の実施形態と同様のものが用いられる。
【００５９】
基材シート５１としては、第一の実施形態と同様のものが用いられる。
【００６０】
この広告媒体５０によれば、基材シート５１における表示素子５２および配線が設けられている領域とは別の領域に、基材シート５１を厚み方向に貫通する貫通穴５３，５４が設けられているので、上記の「暖簾」の部分を軽量化することができる。ゆえに、広告媒体５０を容易に設置することができる上に、広告媒体５０の設置に要するコストを低減することができる。
【００６１】
また、貫通穴５３，５４によって、基材シート５１は通気性に優れるので、基材シート５１が強風を受けても、その風圧により基材シート５１が損傷することを防止できる。すなわち、基材シート５１が強風を受けても、その風が貫通穴５３，５４を通り抜けるので、基材シート５１が受ける風圧が緩和されるため、基材シート５１が損傷することを防止できる。ゆえに、基材シート５１上に設けられた表示素子５２および配線が損傷して、表示素子５２による表示ができなくなることを防止できる。
【００６２】
なお、この実施形態では、基材シート５１の形状が平面視長方形状である場合を例示したが、本発明の広告媒体はこれに限定されない。本発明の広告媒体にあっては、基材シートの形状は、それによって広告すべき情報の内容などに応じて適宜調整される。
【００６３】
また、この実施形態では、基材シート５１の一方の面５１ａに、１つの表示素子５２が配設された場合を例示したが、本発明の広告媒体はこれに限定されない。本発明の広告媒体にあっては、基材シートの一方の面または他方の面に、任意の形状（表示パターン）の表示素子が２つ以上設けられていてもよい。
【００６４】
また、この実施形態では、貫通穴５３，５４の形状が平面視長方形状である場合を例示しが、本発明の広告媒体はこれに限定されない。本発明の広告媒体にあっては、貫通穴が、基材シートにおける表示素子および配線が設けられている領域とは別の領域に設けられていれば、その形状は如何なる形状であってもよい。
【００６５】
また、この実施形態では、４つの表示シート５５Ａ，５５Ｂ，５５Ｃ，５５Ｄが、スリーブ５６の長手方向に沿って、所定の間隔を置いて、連設されている場合を例示しが、本発明の広告媒体はこれに限定されない。本発明の広告媒体にあっては、２つ、３つまたは５つ以上の表示シートが、スリーブの長手方向に沿って、所定の間隔を置いて、連設されていてもよい。
【００６６】
（５）第五の実施形態
図６は、本発明の広告媒体の第五の実施形態の概略構成を示す模式図である。
この実施形態の広告媒体６０は、平面視長方形状の基材シート６１と、基材シート６１の一方の面６１ａに、等間隔に配設された多数の表示素子６２と、基材シート６１の一方の面６１ａに設けられ、表示素子６２に接続された配線６３と、基材シート６１を厚み方向に貫通する貫通穴６４，６５，６６と、基材シート６１を係留するための係留器具（図示略）とから概略構成されている。
【００６７】
また、配線６３の端子には、コントローラー（図示略）や電源（図示略）などの制御系（図示略）が接続され、この制御系により、表示素子６２の表示の切り替えなどが制御される。なお、配線に接続される制御系は有線方式のものに限定されず、無線方式のものであってもよい。無線方式の制御系を設ければ、広告媒体６０から離れた位置から、表示素子６２の表示を切り替えることができる。
【００６８】
多数の表示素子６２は、基材シート６１の一方の面６１ａに、基材シート６１の縦方向および横方向に沿って、等間隔に配設されている。言い換えれば、多数の表示素子６２は、基材シート６１の一方の面６１ａに、マトリックス状に配設されている。
【００６９】
このマトリックス状に配設された表示素子６２に対応して、配線６３は基材シート６１の縦方向および横方向に沿って、等間隔に配設され、網目状をなしている。
【００７０】
貫通穴６４，６５，６６は、基材シート６１における表示素子６２および配線６３が設けられている領域とは別の領域、すなわち、基材シート６１における表示素子６２および配線６３が設けられていない領域に設けられている。
【００７１】
すなわち、平面視十字形状の貫通穴６４が、マトリックス状に配設された多数の表示素子６２、および、網目状に配設された配線６３の間に設けられている。これにより、貫通穴６４は、マトリックス状に配設されている。
また、基材シート６１の外縁部において、平面視凸形状の貫通穴６５が、マトリックス状に配設された多数の表示素子６２、および、網目状に配設された配線６３の間に設けられている。これにより、貫通穴６５は、等間隔に配設されている。
また、基材シート６１の外縁部における２つの貫通穴６５の列の間に、平面視Ｌ字形状の貫通穴６６が、マトリックス状に配設された多数の表示素子６２、および、網目状に配設された配線６３の間に設けられている。
【００７２】
また、この実施形態にあっても、第一の実施形態と同様に、基材シート６１の他方の面側に、基材シート６１に重なるように通気性シートが設けられていてもよい。これにより、基材シート６１の一方の面６１ａ側から見て、貫通穴６４，６５，６６の開口部（貫通穴６４，６５，６６の開口端部６４ａ，６５ａ，６６ａよりも内側の部分）の全域に重なるように、通気性シートが配設される。
通気性シートとしては、第一の実施形態と同様のものが用いられる。
【００７３】
基材シート６１としては、第一の実施形態と同様のものが用いられる。
【００７４】
係留器具としては、第一の実施形態と同様のポール、第二の実施形態と同様のバルーン、第三の実施形態と同様のフック、第四の実施形態と同様の竿など、広告媒体６０を設置する場所や、広告媒体６０によって表示する情報の内容などに応じて適宜決定される。
【００７５】
この広告媒体６０によれば、基材シート６１における表示素子６２および配線６３が設けられている領域とは別の領域に、基材シート３１を厚み方向に貫通する貫通穴６４，６５，６６が設けられているので、表示素子６２および配線６３が設けられた基材シート６１を軽量化することができる。ゆえに、広告媒体６０を容易に設置することができる上に、広告媒体６０の設置に要するコストを低減することができる。
【００７６】
また、貫通穴６４，６５，６６によって、基材シート６１は通気性に優れるので、基材シート６１が強風を受けても、その風圧により基材シート６１が損傷することを防止できる。すなわち、基材シート６１が強風を受けても、その風が貫通穴６４，６５，６６を通り抜けるので、基材シート６１が受ける風圧が緩和されるため、基材シート６１が損傷することを防止できる。ゆえに、基材シート６１上に設けられた表示素子６２および配線６３が損傷して、表示素子６２による表示ができなくなることを防止できる。
特に、貫通穴６４が、表示素子６２および配線６３の間に、マトリックス状に配設され、かつ、貫通穴６５が、表示素子６２および配線６３の間に、等間隔に配設されているので、基材シート６１のほぼ全域で風が通り抜けるから、基材シート６１に加えられる風圧が部分的に偏って、基材シート６１が損傷することを防止できる。
【００７７】
さらに、多数の表示素子６２がマトリックス状に配置されているので、必要な箇所（位置）の表示素子６２のみに電圧を印加して、その表示素子６２のみを着色することにより、任意の形状（パターン）を表示することができる。
【００７８】
なお、この実施形態では、基材シート６１の形状が平面視長方形状である場合を例示したが、本発明の広告媒体はこれに限定されない。本発明の広告媒体にあっては、基材シートの形状は、それによって広告すべき情報の内容などに応じて適宜調整される。
【００７９】
また、この実施形態では、貫通穴６４の形状が平面視十字形状、貫通穴６５の形状が平面視凸形状、貫通穴６６の形状が平面視Ｌ字形状である場合を例示しが、本発明の広告媒体はこれに限定されない。本発明の広告媒体にあっては、貫通穴が、基材シートにおける表示素子および配線が設けられている領域とは別の領域に設けられていれば、その形状は如何なる形状であってもよい。
【符号の説明】
【００８０】
１０，３０，４０，５０，６０・・・広告媒体、１１，３１，４１，５１，６１・・・基材シート、１２，１３，３２，３３，５２，６２・・・表示素子、１４，１５，６３・・・配線、１６，１７，１８，３４，３５，３６，５３，５４，６４，６５，６６・・・貫通穴、１９・・・ポール、２０・・・通気性シート、３７・・・バルーン、４１・・・係留治具、４２・・・錘、５５，５５Ａ，５５Ｂ，５５Ｃ，５５Ｄ・・・表示シート、５６・・・スリーブ、５７・・・竿。
【図１】
2011075584.tif 000003
【図２】
2011075584.tif 000004
【図３】
2011075584.tif 000005
【図４】
2011075584.tif 000006
【図５】
2011075584.tif 000007
【図６】
2011075584.tif 000008